(57)【特許請求の範囲】
【請求項１】
格子状に配置された複数の光源を表側に有する基板と、
前記基板の表側において前記基板と向き合うように配置され、前記複数の光源の光が透過する光学部材と、
前記基板と前記光学部材との間に配置され、前記光学部材を支持する支持ピンと、を備え、
前記支持ピンは、
前記基板に形成された孔に嵌められる第１の取付部と、
前記基板に形成された他の孔に嵌められ、前記第１の取付部から離れて位置する第２の取付部と、
先端で前記光学部材を支持するとともに、前記基板に対して垂直な方向において前記第１の取付部と並ぶように形成された柱部と、を有し、
前記第１の取付部は、前記複数の光源によって取り囲まれる位置に配置され、
前記第２の取付部は、前記第１の取付部を取り囲む前記複数の光源の外側に位置し、
前記第２の取付部は、前記第１の取付部を取り囲む前記複数の光源のうち２つの光源を通る直線を挟んで前記第１の取付部とは反対側に位置している、
ことを特徴とするバックライトユニット。
【請求項２】
請求項１に記載のバックライトユニットにおいて、
前記第１の取付部は、格子状に配置された前記複数の光源のうち、１つの格子を構成する複数の光源によって取り囲まれる位置に配置されている、
ことを特徴とするバックライトユニット。
【請求項３】
請求項２に記載のバックライトユニットにおいて、
前記第１の取付部を囲む前記複数の光源は、四角形の四隅に配置され、
前記第１の取付部は前記四角形の対角線の交点に位置している、
ことを特徴とするバックライトユニット。
【請求項４】
請求項１に記載のバックライトユニットにおいて、
前記支持ピンは、前記第１の取付部が接続される第１の接続部と、前記第２の取付部が接続される第２の接続部と、前記第１の接続部と前記第２の接続部とに掛け渡される延伸部とを有する連結部をさらに備え、
前記連結部は、前記第１の接続部と前記第２の接続部とにおける幅よりも、前記延伸部における幅が小さくなるように形成されている、
ことを特徴とするバックライトユニット。
【請求項５】
請求項１に記載のバックライトユニットを備える液晶表示装置。
【発明の詳細な説明】
【技術分野】
【０００１】
本発明は、格子状に配置された複数の光源を有するバックライトユニット及び液晶表示装置に関する。
【背景技術】
【０００２】
液晶表示装置には直下型のバックライトユニットを備えるものがある。従来、この種のバックライトユニットでは、複数の蛍光管や、格子状に配置される複数の発光ダイオード（以下、ＬＥＤ）が、光源として利用されている。
【０００３】
下記特許文献１は蛍光管を利用したバックライトユニットを開示している。このバックライトユニットは、板状のシャーシと拡散パネルとを備え、それらの間に蛍光管が配置されている。また、このバックライトユニットは、拡散パネルとシャーシとの間に配置され拡散パネルを支持する支持ピン（特許文献１において光学シート支持柱）を有している。支持ピンは、その下部に２つの取付部を有し、各取付部はシャーシに形成された孔に嵌められ、当該シャーシに取り付けられている。また、支持ピンは、２つの取付部の中間部に、上方に伸びる柱部を有している。柱部は、その先端で拡散パネルを支持している。
【先行技術文献】
【特許文献】
【０００４】
【特許文献１】特開２００９−１０４９７８号公報
【特許文献２】特開２００７−３２２６９７号公報
【発明の概要】
【発明が解決しようとする課題】
【０００５】
格子状に配置された複数のＬＥＤを光源として利用するバックライトユニットにおいて、特許文献１に開示されるような支持ピンを利用することが検討されている。しかしながら、特許文献１の支持ピンは、この種のバックライトユニットでは、次のような問題を招く。
【０００６】
この種のバックライトユニットで支持ピンを利用する場合、回路基板には、支持ピンの取付部を嵌めるための孔が形成される。また、回路基板のＬＥＤの周囲には、ＬＥＤに繋がる配線パターンが形成される。そのため、ＬＥＤ周りの配線の自由度を確保するために、各取付部及びそれらが嵌められる孔はＬＥＤから離れた位置に設けられることが望ましい。また、柱部がＬＥＤに近い場合には、柱部がＬＥＤの光の進行を妨げるおそれがあるため、柱部もＬＥＤから離れて位置することが望まれる。しかしながら、特許文献１では、柱部は２つの取付部の中間に形成されているため、各取付部をＬＥＤから遠い位置に配置すると、柱部がＬＥＤに近くなるなど、取付部と柱部の双方をＬＥＤから遠い位置に配置することが難しかった。
【０００７】
本発明は上記課題に鑑みてなされたものであって、その目的は、光源周りの配線の自由度を確保でき、且つ、柱部が光の進行の妨げとなることを抑えることのできる、バックライトユニット及び液晶表示装置を提供することにある。
【課題を解決するための手段】
【０００８】
上記課題を解決するために、本発明に係るバックライトユニットは、格子状に配置された複数の光源を表側に有する基板と、前記基板の表側において前記基板と向き合うように配置され、前記複数の光源の光が透過する光学部材と、前記基板と前記光学部材との間に配置され、前記光学部材を支持する支持ピンと、を備える。前記支持ピンは、前記基板に形成された孔に嵌められる第１の取付部と、前記基板に形成された他の孔に嵌められ、前記第１の取付部から離れて位置する第２の取付部とを備える。また、前記支持ピンは、先端で前記光学部材を支持するとともに、前記基板に対して垂直な方向において前記第１の取付部と並ぶように形成された柱部を有する。
【０００９】
また、上記課題を解決するために、本発明に係る液晶表示装置は、上記バックライトユニットを備える。
【００１０】
本発明によれば、柱部は第１の取付部と基板に対して垂直な方向で並ぶように形成されているため、第１の取付部が嵌められる孔を各光源から離れた位置に形成し、第１の取付部を各光源から離した場合、柱部も当該各光源から離れて配置される。そのため、光源周りの配線の自由度を増すとともに、柱部が光源の光の進行の妨げとなることを抑えることができる。
【００１１】
また、本発明の一態様では、前記第１の取付部は、格子状に配置された前記複数の光源のうち、１つの格子を構成する複数の光源によって取り囲まれる位置に配置されてもよい。この態様によれば、第１の取付部とその周りの光源との間に距離が確保され、光源周りの配線の自由度を増すことができる。
【００１２】
また、この態様において、前記第１の取付部を囲む前記複数の光源は、四角形の四隅に配置され、前記第１の取付部は前記四角形の対角線の交点に位置してもよい。こうすることによって、第１の取付部とその周りの光源との間に、より十分な距離が確保され得る。
【００１３】
また、この態様において、前記第２の取付部は、前記第１の取付部を取り囲む前記複数の光源の外側に位置してもよい。こうすることによって、第２の取付部と光源との間にも十分な距離を確保できるようになる。また、この態様において、さらに、前記第２の取付部は、前記第１の取付部を取り囲む前記複数の光源のうち２つの光源を通る直線を挟んで前記第１の取付部とは反対側に位置してもよい。こうすることによって、第２の取付部とその周りの光源との間に、より十分な距離が確保され得る。また、この態様において、さらに、前記支持ピンは、前記第１の取付部が接続される第１の接続部と、前記第２の取付部が接続される第２の接続部と、前記第１の接続部と前記第２の接続部とに掛け渡される延伸部とを有する連結部をさらに備え、前記連結部は、前記第１の接続部と前記第２の接続部とにおける幅よりも、前記延伸部における幅が小さくなるように形成されてもよい。こうすることによって、連結部が光源の光の進行を妨げることを抑えることができる。
【図面の簡単な説明】
【００１４】
【図１】本発明の実施形態に係るバックライトユニットを備える液晶表示装置の分解斜視図である。
【図２】上記バックライトユニットの斜視図である。この図においては、バックライトユニットが備える拡散パネル及び光学シートは取り外されている。
【図３】上記バックライトユニットの分解斜視図である。
【図４】上記バックライトユニットが備える回路基板の拡大斜視図である。
【図５】上記回路基板に取り付けられた支持ピンの斜視図である。
【図６】上記支持ピンと回路基板に実装されたＬＥＤとの位置関係を示すための平面図である。
【図７】上記支持ピンの斜視図である。
【図８】図６に示すＶＩＩＩ−ＶＩＩＩの断面図である。
【発明を実施するための最良の形態】
【００１５】
以下、本発明の一実施形態について図面を参照しながら説明する。図１は、本発明の実施形態の例であるバックライトユニット１０を備える液晶表示装置１の分解斜視図である。図２はバックライトユニット１０の斜視図である。図２においては、バックライトユニット１０が備える拡散パネル６２や光学シート６１は取り外されている。図３はバックライトユニット１０の分解斜視図である。図４はバックライトユニット１０が備える回路基板２０の拡大斜視図である。図５は回路基板２０に取り付けられた支持ピン５０の斜視図である。図６は支持ピン５０と回路基板２０に実装されたＬＥＤ２２との位置関係を示すための平面図である。図７は支持ピン５０の斜視図である。図８は図６に示すＶＩＩＩ−ＶＩＩＩの断面図である。
【００１６】
図１又は図３に示すように、液晶表示装置１は、液晶表示パネル２と、液晶表示パネル２の裏面側において当該液晶表示パネル２と向き合うように配置されるバックライトユニット１０とを有している。バックライトユニット１０は、その使用時には、液晶表示パネル２をその裏面側から照らす。液晶表示パネル２は、互いに向き合うよう配置される、光透過性を有する２枚のガラス基板を有し、それらの間に液晶が封入されている。バックライトユニット１０の光の透過は、この液晶によって制御される。なお、液晶表示装置１は、例えばテレビの表示装置として用いられる。
【００１７】
液晶表示装置１は、液晶表示パネル２の外縁を取り囲む四角いフロントフレーム３を有している。バックライトユニット１０には、後述する拡散パネル６２等を取り囲む四角いバックフレーム７１が設けられている（図２及び図３参照）。液晶表示パネル２の外縁はバックフレーム７１に載せられる。そして、フロントフレーム３は、液晶表示パネル２の外縁をバックフレーム７１との間に挟みながら、当該バックフレーム７１にネジ３ａなどの締結具によって取り付けられる。
【００１８】
図３に示すように、バックライトユニット１０は矩形の回路基板２０を有している。この例では、バックライトユニット１０は複数（ここでは４つ）の回路基板２０を有し、それらは横方向（図３においてＸ１−Ｘ２方向）と縦方向（図３においてＹ１−Ｙ２方向）とに並んでいる。そして、複数の回路基板２０は全体として液晶表示パネル２に対応した大きさの基板を構成している。
【００１９】
バックライトユニット１０は、いわゆる直下型のバックライトユニットであり、図４に示すように、回路基板２０の表側（上側）には、複数のＬＥＤ（Ｌｉｇｈｔ  Ｅｍｉｔｔｉｎｇ  Ｄｉｏｄｅ）２２が光源として配置されている。この例のＬＥＤ２２は回路基板２０の表面に取り付けられている。複数のＬＥＤ２２は格子状に配置され、互いに直交する２方向に並んでいる。この例では、複数のＬＥＤ２２は縦方向と横方向とに等間隔で並んでおり、各格子（単位格子）は４つのＬＥＤ２２によって構成されている。すなわち、各格子は四角形（この例では正方形）であり、その４隅にＬＥＤ２２が配置されている。
【００２０】
回路基板２０には、各ＬＥＤ２２に繋がる複数の配線パターンが形成されている。この例では、配線パターンは回路基板２０の裏面（下面）に形成されている。配線パターンは、例えば、各ＬＥＤ２２から横方向及び縦方向に伸び、回路基板２０の縁に配置されたコネクタなどを介して駆動回路に接続される。ＬＥＤ２２には、駆動回路から配線パターンを介して、駆動電力が供給される。なお、複数のＬＥＤ２２は、例えば、別個に制御される。また、回路基板２０が複数の領域に分割され、複数のＬＥＤ２２は、その領域毎に制御されてもよい。
【００２１】
バックライトユニット１０は、回路基板２０の表側に、ＬＥＤ２２の光が透過する平型の光学部材を有している。平型の光学部材は、回路基板２０と向き合う姿勢で、当該回路基板２０から離れて配置されている。この例では、図３又は図８に示すように、バックライトユニット１０は、光学部材として、複数の光学シート（例えば、拡散シートや、プリズムシートなど）６１と、光学シート６１よりも厚い拡散パネル６２と、を有している。これら複数の光学部材は回路基板２０と平行に、且つ、層状に配置されている。具体的には、拡散パネル６２が最下層に配置され、拡散パネル６２上に複数の光学シート６１が配置されている。
【００２２】
また、バックライトユニット１０は回路基板２０の表面に配置される反射シート３０を備えている。図５に示すように、反射シート３０には、当該反射シート３０を貫通する四角い複数の孔３０ａが形成されている。各孔３０ａの位置はＬＥＤ２２に対応しており、ＬＥＤ２２は孔３０ａの内側に位置し、拡散パネル６２に向けて（すなわち上方に）露出している。反射シート３０は、ＬＥＤ２２の光を拡散パネル６２及び光学シート６１に向けて反射する。ＬＥＤ２２の光は拡散パネル６２及び光学シート６１を通過し、液晶表示パネル２をその裏面側から照らす。
【００２３】
さらに、バックライトユニット１０は、図３又は図８に示すように、回路基板２０の裏面側（下側）に配置される、金属によって形成された板状のシャーシ４０を備えている。シャーシ４０は液晶表示パネル２に対応した大きさの矩形に形成されている。回路基板２０は横方向及び縦方向に並んだ状態でシャーシ４０上に配置されている。各回路基板２０は複数のネジ２３によってシャーシ４０に固定されている（図４参照）。なお、シャーシ４０には、他の装置が固定されてもよい。例えば、液晶表示装置１がテレビで用いられる場合には、シャーシ４０の裏面には受信機や他の回路基板が固定されてもよい。
【００２４】
なお、図３に示すように、シャーシ４０の上下及び左右の縁には、回路基板２０の外周を取り囲む、上壁部４２、下壁部４３及び側壁部４４が形成されている。反射シート３０の上縁及び下縁には、シャーシ４０の上壁部４２と下壁部４３の内側で立つ壁部３２，３３がそれぞれ形成されている。また、反射シート３０の左右の縁には、縦方向に長い側壁部材３９が配置されている。側壁部材３９は、シャーシ４０の側壁部４４の内側に位置している。側壁部材３９には反射面が形成されており、回路基板２０に設けられた全てのＬＥＤ２２は、反射シート３０の壁部３２，３３と、側壁部材３９の反射面とのよって取り囲まれている。これによって、ＬＥＤ２２の光の一部は、壁部３２，３３及び側壁部材３９の反射面で反射して、拡散パネル６２に向かう。
【００２５】
後述するように、回路基板２０と反射シート３０は、反射シート３０上に配置された複数の支持ピン５０によってシャーシ４０に取り付けられている。上述したバックフレーム７１は、拡散パネル６２及び光学シート６１の外周縁と、壁部３２，３３の上縁と、側壁部材３９の縁とを、シャーシ４０の壁部４２，４３，４４との間に挟んだ状態で、壁部４２，４３，４４に固定されている。このようにして拡散パネル６２や回路基板２０等は一体化し、バックライトユニット１０を構成している。
【００２６】
上述したように、バックライトユニット１０は複数の支持ピン５０を有している。図８に示すように、支持ピン５０は、回路基板２０と拡散パネル６２との間に配置され、拡散パネル６２と光学シート６１とを支持している。各支持ピン５０は、その下部に、回路基板２０及びシャーシ４０に差し込まれ、これらに取り付けられる複数（この例では２つ）の取付部５１，５２を有している。また、支持ピン５０は、その上部に、上方に延びるように形成され、先端で拡散パネル６２及び光学シート６１を支持する柱部５３を有している。支持ピン５０は例えば樹脂によって形成されている。
【００２７】
図５又は図７に示すように、支持ピン５０は、上述した取付部として、第１の取付部５１と、当該第１の取付部５１から離れて位置する第２の取付部５２とを有している。この例では、第１の取付部５１と第２の取付部５２は回路基板２０と平行な方向（この例では横方向）に離れて位置している。詳細には、支持ピン５０は、横方向に細長い平板状に形成され反射シート３０上に位置する連結プレート５４を有している。第１の取付部５１と第２の取付部５２は、連結プレート５４の両端部に接続されている。
【００２８】
図８に示すように、反射シート３０と回路基板２０とシャーシ４０とには、これらを貫通する複数の孔３１，２１，４１が形成されている。これらの孔３１，２１，４１は互いに対応する位置に形成され、上下方向（すなわち回路基板２０に垂直な方向）に並んでいる。第１の取付部５１は、連結プレート５４の一端部に設けられた接続板部５４ａから、下方に突出し、孔３１，２１，４１に嵌っている。第２の取付部５２は、連結プレート５４の他端部に設けられた接続板部５４ｂから下方に突出し、第１の取付部５１とは異なる孔３１，２１，４１に嵌っている。そして、第１の取付部５１と第２の取付部５２は、回路基板２０とシャーシ４０とに取り付けられ、接続板部５４ａ，５４ｂは、反射シート３０を回路基板２０に押さえ付けている。
【００２９】
この例では、図７又は図８に示すように、取付部５１，５２は、接続板部５４ａ，５４ｂの下面に接続した下突出部５１ａ，５２ａを含んでいる。下突出部５１ａ，５２ａは接続板部５４ａ，５４ｂの中心から孔３１，２１，４１の内側を通ってシャーシ４０の裏面側まで伸びている。また、取付部５１，５２は、下突出部５１ａ，５２ａの下端から斜め上方に伸びシャーシ４０の孔４１の縁に当る係合部５１ｂ，５２ｂをそれぞれ有している。この例では、第１の取付部５１には、下突出部５１ａを挟んで対称に配置される２つの係合部５１ｂが設けられ、第２の取付部５２には、下突出部５２ａを挟んで対称に配置される２つの係合部５２ｂが設けられている。係合部５１ｂ、５２ｂの上部は、内方に（すなわち、下突出部５１ａ，５２ａに向かって）屈曲している。係合部５１ｂ，５２ｂは、それぞれ内方に弾性変形可能に形成され、取付部５１，５２が孔２１，３１，４１に嵌められた時には、係合部５１ｂ、５２ｂの上部は孔２１，３１，４１の内側に位置し、孔２１，４１の内面に押し付けられている。これによって、第１の取付部５１と第２の取付部５２は、回路基板２０とシャーシ４０とに固定されている。なお、取付部５１，５２の形状は、これに限定されない。例えば、取付部５１，５２は、１つの係合部５１ｂ，５２ｂだけを有していてもよい。
【００３０】
上述したように、複数のＬＥＤ２２は格子状に配置され、各格子は四角形の４隅に配置された４つのＬＥＤ２２によって構成されている。図６に示すように、第１の取付部５１は、１つの格子を構成する４つのＬＥＤ２２によって囲まれる位置に位置している。詳細には、第１の取付部５１は、４つのＬＥＤ２２が構成する四角形の対角線Ｌ１の交点に位置している。すなわち、対角線Ｌ１の交点を通るとともに回路基板２０等に垂直な直線Ｌ２上に、取付部５１の下突出部５１ａが位置している（図８参照）。そのため、第１の取付部５１と、第１の取付部５１を取り囲む４つのＬＥＤ２２との距離は互いに等しくなり、いずれのＬＥＤ２２と第１の取付部５１（換言すると孔２１）との間にも十分な距離を確保できる。その結果、ＬＥＤ２２周りの配線について高い自由度を得ることができる。
【００３１】
一方、第２の取付部５２は、図６に示すように、第１の取付部５１を取り囲む４つのＬＥＤ２２の外側に位置している。詳細には、第２の取付部５２は、第１の取付部５１を取り囲む４つのＬＥＤ２２のうち、２つのＬＥＤ２２を通る直線Ｌ３を挟んで第１の取付部５１とは反対側に位置している。すなわち、第２の取付部５２は直線Ｌ３に対して第１の取付部５１と対称となっている。そのため、第２の取付部５２は、第１の取付部５１が配置される単位格子の隣の格子を構成する４つのＬＥＤ２２に取り囲まれている。より詳細には、第２の取付部５２も、第１の取付部５１と同様に、４つのＬＥＤ２２が構成する四角形の対角線の交点に位置している。そのため、第２の取付部５２とＬＥＤ２２の間にも十分な距離を確保できている。
【００３２】
上述したように、第１の取付部５１及び第２の取付部５２は、それぞれ連結プレート５４の端部に設けられた接続板部５４ａ，５４ｂから下方に伸びている。図５又は図６に示すように、接続板部５４ａ，５４ｂの外周は略円形となっている。そのため、接続板部５４ａ，５４ｂの外周には、取付部５１，５２を取り囲む４つのＬＥＤ２２に突出して近くなる部分がないため、接続板部５４ａ，５４ｂが、反射シート３０による光の反射の妨げとなり難い。なお、この例では、接続板部５４ａ，５４ｂの中心の直下に、取付部５１，５２の下突出部５１ａ，５２ａが位置している。
【００３３】
図６に示すように、連結プレート５４の幅は、当該連結プレート５４の中途部で、細くなっている。すなわち、連結プレート５４は、接続板部５４ａと接続板部５４ｂとの間に掛け渡され、上述した直線Ｌ３と垂直に交差する細長い板状の延伸部５４ｃを有している。延伸部５４ｃの幅（第１の取付部５１と第２の取付部５２とを結ぶ直線に対して直交する方向での幅）Ｗ１は接続板部５４ａ，５４ｂの幅Ｗ２（換言すると、接続板部５４ａ，５４ｂの直径）よりも小さい。これによって、第１の取付部５１と第２の取付部５２の間に位置する２つのＬＥＤ２２（直線Ｌ３上に位置するＬＥＤ２２）から延伸部５４ｃまでの距離が増している。その結果、連結プレート５４が、ＬＥＤ２２の光の反射の妨げとなることが抑えられている。また、接続板部５４ａ，５４ｂの直径が大きいので、反射シート３０の回路基板２０からの浮き上がりを効果的に抑えることができている。
【００３４】
上述したように、支持ピン５０は、拡散パネル６２と光学シート６１とを支持する柱部５３を有している。図７又は図８に示すように、柱部５３は略円錐状に形成され、先端に近づくほど、すなわち拡散パネル６２に近づくほど細くなっている。そして、柱部５３の先端が拡散パネル６２の下面に突き当たっている。回路基板２０及び反射シート３０から、拡散パネル６２までの距離はこの柱部５３によって規定されている。
【００３５】
柱部５３は、回路基板２０等に対して垂直な方向で第１の取付部５１と並ぶように形成されている。すなわち、柱部５３は第１の取付部５１の直上で立つように形成されている。そのため、図６に示すように、回路基板２０及び反射シート３０の平面視では、柱部５３は、第１の取付部５１と同様に、１つの格子を構成する複数（ここでは４つ）のＬＥＤ２２に取り囲まれている。この例では、柱部５３は、連結プレート５４の接続板部５４ａの中心から、真っ直ぐ上方に（拡散パネル６２に向かって）伸びる円錐状に形成されている。そして、対角線Ｌ１の交点を通る直線Ｌ２が、柱部５３の中心線となっている（図８参照）。なお、支持ピン５０には連結プレート５４が１つだけ設けられており、柱部５３と連結プレート５４は全体として略Ｌ字形状に配置されている。
【００３６】
図３に示すように、複数の支持ピン５０は、縦方向及び横方向に分散して配置され、これによって、拡散パネル６２と光学シート６１とが安定的に支持されている。すなわち、拡散パネル６２と回路基板２０との距離がバックライトユニット１０の全域に亘って均一になるように、複数の支持ピン５０は互いに間隔を空けて配置され、回路基板２０の全域に分散している。
【００３７】
以上説明したように、バックライトユニット１０は、格子状に配置された複数のＬＥＤ２２を表側に有する回路基板２０と、回路基板２０の表側において当該回路基板２０と向き合うように配置され、複数ＬＥＤ２２の光が透過する光学部材（以上の説明では拡散パネル６２及び光学シート６１）と、回路基板２０と拡散パネル６２との間に配置され、光学部材を支持する支持ピン５０と、を備えている。支持ピン５０は、第１の取付部５１と第２の取付部５２と柱部５３とを有している。第１の取付部５１は回路基板２０に形成された孔２１に嵌められ、第２の取付部５２は他の孔２１に嵌められ、第１の取付部５１から回路基板２０の表面と平行な方向に離れて位置している。柱部５３は、回路基板２０に対して垂直な方向で第１の取付部５１と並ぶように形成され、光学部材を支持している。
【００３８】
このようなバックライトユニット１０によれば、第１の取付部５１を各ＬＥＤ２２から遠い位置に配置したときに、柱部５３もＬＥＤ２２から遠い位置に配置される。そのため、ＬＥＤ２２周りの配線の自由度を増すと同時に、柱部５３がＬＥＤ２２の光の妨げとなることを抑えることができる。また、支持ピン５０には第１の取付部５１に加えて第２の取付部５２も設けられているので、良好な取付安定性が得られる。
【００３９】
また、支持ピン５０を回路基板２０等に取り付ける際の作業性を向上できる。つまり、作業者が、支持ピン５０を回路基板２０等に取り付ける際、支持ピン５０の柱部５３を摘みながら、第１の取付部５１を、孔３１，２１，４１に嵌める。柱部５３は第１の取付部５１の直上に配置されているので、柱部５３が第１の取付部５１と第２の取付部５２との間に位置している従来の支持ピンに比べて、作業者の力が第１の取付部５１に直接的に作用し、その結果、第１の取付部５１が孔３１，２１，４１に嵌りやすくなる。
【００４０】
なお、本発明は以上説明したバックライトユニット１０に限られず、種々の変更が可能である。
【００４１】
例えば、以上の説明では、各支持ピン５０には２つの取付部５１，５２が設けられていた。しかしながら、取付部５１，５２の数はこれに限られず、さらに多くの取付部５１，５２が支持ピン５０に設けられ、それらが連結プレートによって連結されてもよい。
【００４２】
また、以上の説明では支持ピン５０には１つの柱部５３が設けられていた。しかしながら、柱部５３の数はこれに限定されず、第１の取付部５１だけでなく、第２の取付部５２の直上にも柱部５３は設けられてよい。
【００４３】
また、以上の説明では、柱部５３は接続板部５４ａの中心から上方に伸び、柱部５３の中心線は、対角線Ｌ１の交点を通る直線Ｌ２と一致していた。また、第１の取付部５１の下突出部５１ａは、接続板部５４ａの中心から下方の伸び、直線Ｌ２上に位置していた。しかしながら、柱部５３の中心線或いは第１の取付部５１の下突出部５１ａは、直線Ｌ２から僅かにずれていてもよい。例えば、柱部５３と下突出部５１ａは、接続板部５４ａの縁に近い部分から上方及び下方にそれぞれ伸びてもよい。
【００４４】
また、バックライトユニット１０は、光学部材として、拡散パネル６２と、光学シート６１とを有していた。しかしながら、本発明は、拡散パネル６２と光学シート６１のいずれか一方のみを有するバックライトユニットに適用されてもよい。
【００４５】
また、以上の説明では、回路基板２０に設けられた複数のＬＥＤ２２が構成する各格子は四角形であった。しかしながら、格子の形態はこれに限られず、例えば、ＬＥＤ２２が構成する各格子は三角形や五角形でもよい。
【符号の説明】
【００４６】
１  液晶表示装置、２  液晶表示パネル、３  フロントフレーム、３ａ  ネジ、１０  バックライトユニット、２０  回路基板、２１  孔、２２  ＬＥＤ、２３  ネジ、３０  反射シート、３０ａ  孔、３１  孔、３２，３３  壁部、３９  側壁部材、４０  シャーシ、４１  孔、４２  上壁部、４３  下壁部、４４  側壁部、５０  支持ピン、５１  第１の取付部、５１ａ  下突出部、５１ｂ  係合部、５２  第２の取付部、５２ａ  下突出部、５２ｂ  係合部、５３  柱部、５４  連結プレート、５４ａ，５４ｂ  接続板部、５４ｃ  延伸部、６１  光学シート、６２  拡散パネル、７１  バックフレーム。
【図１】
0005535786.tif 000002
【図２】
0005535786.tif 000003
【図３】
0005535786.tif 000004
【図４】
0005535786.tif 000005
【図５】
0005535786.tif 000006
【図６】
0005535786.tif 000007
【図７】
0005535786.tif 000008
【図８】
0005535786.tif 000009